(57)【要約】【課題】ＬＥＤを消灯している場合に、樹脂板の裏面に刻設した模様や文字等の表示部がおもて面から視覚されない導光板を提供する。【解決手段】各種の表示板や商品展示用の棚等として使用されるものであって、透明または半透明の樹脂製かつ平板状であり、おもて面Ｆ及び裏面Ｂのうち少なくとも一つの平面に、模様や文字などを凹凸状に形成した表示部３を設けた樹脂板２と、前記樹脂板２の端面２ａに対向して設けられたＬＥＤ４と、前記樹脂板２のおもて面Ｆに貼着されたミラーフィルム６とを備える。【選択図】図１
2009098442.tif 000002
【特許請求の範囲】
【請求項１】
各種の表示板や商品展示用の棚等として使用される導光板であって、
透明または半透明の樹脂製かつ平板状であり、おもて面及び裏面のうち少なくとも一つの平面に、模様や文字などを凹凸状に形成した表示部を設けた樹脂板と、
前記樹脂板の端面に対向して設けられたＬＥＤと、
前記樹脂板のおもて面に貼着されたミラーフィルムと、を備えてなることを特徴とする導光板。
【請求項２】
各種の表示板や商品展示用の棚等として使用される導光板であって、
透明または半透明の樹脂製かつ板状で少なくとも一つの端面側部分を略直角に屈曲させた形状であり、おもて面及び裏面のうち少なくとも一つの平面に、模様や文字などを凹凸状に形成した表示部を設けた樹脂板と、
前記樹脂板の前記屈曲させられた端面に対向して設けられたＬＥＤと、を備えてなることを特徴とする導光板。
【請求項３】
前記樹脂板のおもて面に貼着されたミラーフィルムをさらに備えてなることを特徴とする請求項２に記載の導光板。
【請求項４】
前記樹脂板を略直角に屈曲させたことによって形成されたコーナー部の肉厚を、他の部分の肉厚と均一に設定したことを特徴とする請求項２又は３に記載の導光板。
【請求項５】
前記樹脂板を略直角に屈曲させたことによって形成されたコーナー部の外側表面に、遮光シートを貼着したことを特徴とする請求項２乃至４のうちいずれか一つに記載の導光板。
【請求項６】
前記樹脂板の裏面に、反射シートを貼着したことを特徴とする請求項１乃至５のうちいずれか一つに記載の導光板。
【発明の詳細な説明】
【技術分野】
【０００１】
本発明は、例えば、商品の宣伝や各種案内を表示する表示板として、また、商品展示用の棚等として使用される導光板に関するものである。
【背景技術】
【０００２】
従来から、例えば、商品の宣伝や暗所におけるあらゆる案内板、あるいは商品を展示する棚として、導光板が広く使用されている。このうち、導光板を表示板として使用することは、例えば、特許文献１に記載されている。
【特許文献１】特開２００６−７１６７７号公報
【０００３】
こうした導光板は、通常、透明で平板状である樹脂板の端面にＬＥＤ（発光ダイオード）を固定すると共に、樹脂板の裏面に、模様や文字等の表示部を刻設している。そして、ＬＥＤから発した光を表示部に照射し、その反射光をおもて面から放射することによって、その表示部をおもて面から現出させるものである。
こうした構成の導光板は、ＬＥＤの光を利用するので、表示部を鮮明に現出させることができるといった利点がある。
【発明の開示】
【発明が解決しようとする課題】
【０００４】
しかしながら、この従来の導光板は、ＬＥＤを消灯した状態において、樹脂板の裏面に刻設している模様や文字等の表示部がおもて面から透けて視覚されてしまうといった問題がある。
このような導光板は見栄えが悪いので、例えば、商品の棚として使用した場合は、その商品価値を低下させてしまう。
【０００５】
また、従来の導光板は平板状であるため、例えば、商品の棚として使用する場合、樹脂板の端面が壁面に近接する場合があり、そうした場合、その端面にＬＥＤを後付けで固定することが困難であるといった問題が発生する。また、ＬＥＤを交換する必要がある場合にも、不便である。さらに、従来の導光板は平板状であるため立体感に欠け、形状的に面白味がない。
【０００６】
そこで、本発明の目的とするところは、ＬＥＤを消灯している場合に、樹脂板の裏面に刻設した模様や文字等の表示部がおもて面から視覚されない導光板を提供することにある。また、樹脂板の端面に、ＬＥＤを容易に取付け、あるいは交換することができ、さらに、立体感があり、形状に面白味のある導光板を提供することにある。
【課題を解決するための手段】
【０００７】
上記の目的を達成するために、本発明の請求項１に記載の導光板（１）は、各種の表示板や商品展示用の棚等として使用されるものであって、
透明または半透明の樹脂製かつ平板状であり、おもて面（Ｆ）及び裏面（Ｂ）のうち少なくとも一つの平面に、模様や文字などを凹凸状に形成した表示部（３）を設けた樹脂板（２）と、
前記樹脂板（２）の端面（２ａ）に対向して設けられたＬＥＤ（４）と、
前記樹脂板（２）のおもて面（Ｆ）に貼着されたミラーフィルム（６）と、を備えてなることを特徴とする。
【０００８】
また、請求項２に記載の導光板（１）は、各種の表示板や商品展示用の棚等として使用されるものであって、
透明または半透明の樹脂製かつ板状で少なくとも一つの端面（２ａ）側部分を略直角に屈曲させた形状であり、おもて面（Ｆ）及び裏面（Ｂ）のうち少なくとも一つの平面に、模様や文字などを凹凸状に形成した表示部（３）を設けた樹脂板（２）と、
前記樹脂板（２）の前記屈曲させられた端面（２ａ）に対向して設けられたＬＥＤ（４）と、を備えてなることを特徴とする。
【０００９】
さらに、請求項３に記載の導光板（１）は、前記樹脂板（２）のおもて面（Ｆ）に貼着されたミラーフィルム（６）をさらに備えてなることを特徴とする。
【００１０】
また、請求項４に記載の導光板（１）は、前記樹脂板（２）を略直角に屈曲させたことによって形成されたコーナー部（２ｂ）の肉厚（Ｔ）を、他の部分の肉厚（Ｓ）と均一に設定したことを特徴とする。
【００１１】
また、請求項５に記載の導光板（１）は、前記樹脂板（２）を略直角に屈曲させたことによって形成されたコーナー部（２ｂ）の外側表面に、遮光シート（８）を貼着したことを特徴とする。
【００１２】
また、請求項６に記載の導光板（１）は、前記樹脂板（２）の裏面（Ｂ）に、反射シート（７）を貼着したことを特徴とする。
【００１３】
請求項１及び請求項３に記載のミラーフィルムには、マジックミラー（ハーフミラー）フィルムも含まれる。
【００１４】
なお、カッコ内の記号は、図面および後述する発明を実施するための最良の形態に記載された対応要素または対応事項を示す。
【発明の効果】
【００１５】
本発明の請求項１に記載の導光板によれば、樹脂板のおもて面にミラーフィルムを貼着したので、ＬＥＤを消灯している状態では、このミラーフィルムが外光を反射し、樹脂板へ侵入するのを阻止する。
これにより、樹脂板のおもて面又は裏面に設けた表示部が、おもて面側から視覚されるのを防止することができるのに加え、ミラーフィルムによりおもて面側に鏡面を形成するので、見栄えに優れた導光板とすることができる。
【００１６】
一方、ＬＥＤを点灯した状態では、ミラーフィルムは、ＬＥＤの光（以下、ＬＥＤ光と記す）をおもて面から放射するので、表示部をおもて面側から外側に良好に視覚させることができる。
【００１７】
また、請求項２に記載の導光板によれば、樹脂板の端面側部分を略直角に屈曲させたので、例えば、この導光板を、商品を展示する棚として使用する場合に、その端面を壁面側ではなく、それ以外の広い空間側に配置することができる。
従って、その端面にＬＥＤを後付けで容易に固定することができ、また、その交換も容易に行うことができる。さらに、樹脂板を屈曲させたことによって、立体的で、面白味のある形状の導光板とすることができる。
【００１８】
さらに、請求項３に記載の導光板によれば、樹脂板のおもて面にミラーフィルムを貼着するので、ミラーフィルムのはたらきによって請求項１に記載の発明と同様な作用効果が得られる。
【００１９】
また、請求項４に記載の導光板によれば、請求項２又は３に記載の発明の作用効果に加えて、樹脂板を略直角に屈曲させたことによって形成されたコーナー部の肉厚を、他の部分の肉厚と均一に設定したので、ＬＥＤ光を必要以上に外に逃がすことなく、良好に屈曲させて表示部に放射することができる。
ちなみに、コーナー部の肉厚が不均一で、薄肉部分と厚肉部分が形成されていると、ＬＥＤ光が薄肉部分から外に放射されて減衰するので、表示部に達する光の量が減少し、従って、おもて面から視覚される表示部が不鮮明となる。
【００２０】
また、請求項５に記載の導光板によれば、請求項２乃至４に記載の発明の作用効果に加えて、コーナー部の外側表面に、遮光シートを貼着したので、ＬＥＤ光を外に逃がすことなく良好に反射させて表示部に送ることができる。
これにより、表示部を、おもて面からより鮮明に視覚させることができる。
【００２１】
また、請求項６に記載の導光板によれば、請求項１乃至５に記載の発明の作用効果に加えて、樹脂板の裏面に反射シートを貼着したので、ＬＥＤ光をこの反射シートによって効果的に反射させる。
従って、表示部をおもて面から、より鮮明に視覚させることができる。
【発明を実施するための最良の形態】
【００２２】
（第一実施形態）
図１および図２を参照して、本発明の第一実施形態に係る導光板１について説明する。図１は、本発明の第一実施形態に係る導光板１を示す側面図であり、図２は、図１に示す導光板１を通過するＬＥＤ光Ｌ１と、導光板１に対して反射する外光Ｌ２を示す側面図である。
【００２３】
この導光板１は、商品Ｇを展示するための棚として使用されるものであり、樹脂板２、ＬＥＤ４、ミラーフィルム６および反射シート７を備える。
なお、図面では、わかりやすくするため、樹脂板２に対してミラーフィルム６と反射シート７を間をあけて記載しているが、実際には隙間なく貼着されている。
【００２４】
樹脂板２は、透明なアクリル樹脂で形成した平板状であり、裏面Ｂに、模様と文字をレーザー彫刻によって凹凸状に表した表示部３を有する。なお、表示部３を樹脂板２のおもて面Ｆに設けることもできる。さらには、樹脂板２のおもて面Ｆと裏面Ｂに異なる表示部３を設けることも可能である。
【００２５】
ＬＥＤ４は、色の異なる三種類を基板５に固定し、この基板５を所定の取付手段（図示せず）によって樹脂板２に固定することによって、樹脂板２の端面（ここでは右端面）２ａに設けている。なお、図面では、樹脂板２とＬＥＤ４との間が大きいが、実際にはＬＥＤ４は樹脂板２の端面２ａに対して隙間なく接した状態で取付けられる。
【００２６】
ミラーフィルム６は、樹脂板２のおもて面Ｆに貼着され、図２に示すように、ＬＥＤ光Ｌ１を透過して外に放射するとともに、外光Ｌ２を反射して遮断し、鏡面を構成する性質を有する。
【００２７】
また、反射シート７は、樹脂板２の裏面Ｂに貼着され、ＬＥＤ光Ｌ１を反射させる。
【００２８】
このように、本発明の第一実施形態に係る導光板１は、樹脂板２のおもて面Ｆにミラーフィルム６を貼着しているので、ＬＥＤ４を消灯している状態では、このミラーフィルム６が外光Ｌ２を反射し、樹脂板２への侵入を阻止する。
これにより、樹脂板２の裏面Ｂに設けた表示部３が、おもて面Ｆから視覚されるのを防止することができるとともに、鏡面が形成されるので導光板１の見栄えを高めることができる。
【００２９】
一方、ＬＥＤ４を点灯した状態では、ミラーフィルム６は、ＬＥＤ光Ｌ１をおもて面Ｆから放射するので、表示部３をおもて面Ｆから鮮明に視覚させることができる。
【００３０】
また、この導光板１は、樹脂板２の裏面に反射シート７を貼着しているので、ＬＥＤ光Ｌ１をこの反射シート７によって効果的に反射させることができる。
これにより、表示部３をおもて面Ｆから、より鮮明に視覚させることができる。
【００３１】
なお、本実施形態における導光板１は、表示部３をレーザー彫刻で形成しているが、これに代えて、例えば、図３に示すように、裏面Ｂに表示部３としてカッティングシート９を貼り付けて形成することができる。また、裏面Ｂに、シルク印刷を施すことによって、形成することもできる。
【００３２】
（第二実施形態）
次に、図４および図５を参照して、本発明の第二実施形態に係る導光板１について説明する。図４は、本発明の第二実施形態に係る導光板１を示す分解斜視図であり、図５は、図４に示す導光板１を商品Ｇの棚として使用している状態を示す側面図である。
【００３３】
この導光板１も、商品Ｇを展示するための棚として使用されるものであり、樹脂板２、ＬＥＤ４、ミラーフィルム６および反射シート７を備える。
【００３４】
樹脂板２は、透明なアクリル樹脂製かつ板状で右側の端面２ａ側部分を裏面Ｂに向けて略直角に屈曲させた側面略Ｌ字状の形状である。樹脂板２の端面２ａは、樹脂板２のおもて面Ｆ（および裏面Ｂ）と平行に配置される。
そして、樹脂板２の裏面Ｂにレーザー彫刻によって凹凸状に形成した表示部３を備えている。なお、表示部３を樹脂板２のおもて面Ｆに設けることもできる。さらには、樹脂板２のおもて面Ｆと裏面Ｂに異なる表示部３を設けることも可能である。
【００３５】
ＬＥＤ４は基板５に固定し、樹脂板２の端面２ａに対向させて取付けている。
また、ミラーフィルム６は、樹脂板２のおもて面Ｆに貼着している。さらに、樹脂板２の裏面Ｂには反射シート７を貼着している。また、屈曲させた部位の外側にも反射シート７を貼着している。なお、ＬＥＤ光Ｌ１の放射は減少するが、反射シート７を省くことも可能である。
【００３６】
本実施形態に係る導光板１は、樹脂板２のおもて面Ｆにミラーフィルム６を貼着しているので、ＬＥＤ４を消灯している状態で、樹脂板２の裏面Ｂに設けた表示部３が、おもて面Ｆから視覚されるのを防止することができるのに加え、ミラーフィルム６によりおもて面Ｆ側に鏡面が形成されるので、見栄えに優れた導光板とすることができる。また、ＬＥＤ４を点灯した状態では、表示部３をおもて面Ｆから鮮明に視覚させることができる。
【００３７】
また、この導光板１は、樹脂板２の、ＬＥＤ４が設けられる端面２ａ側部分を略直角に屈曲させているので、図５に示すように、端面２ａを壁面Ｗではなく、広い空間側（図５の場合、下側）に配置することができる。
これにより、ＬＥＤ４を樹脂板２の端面２ａに、後付けでも容易に固定することができ、また、その交換も容易に行うことができる。また、樹脂板２を屈曲させたことにより、立体感があり、面白味のある形状の導光板１とすることができる。
【００３８】
なお、本実施形態に係る導光板１の樹脂板２は、図６に示すように、両端部を直角に屈曲させた形状とすることもできる。すなわち、右端面２ａを裏面Ｂ側に向けて屈曲させ、左端面をおもて面Ｆ側に向けて屈曲させるように、略Ｓ字状の形状にしてもよい。
これにより、より立体感があり、形状に面白味のある導光板１とすることができる。
【００３９】
なお、図７に示すように、コーナー部２ｂの、ＬＥＤ４が設けられる端面２ａに対向する外表面に遮光シート８を貼着することによって、ＬＥＤ光Ｌ１が外に放散するのを防止することができる。
これにより、表示部３をおもて面Ｆからより鮮明に視覚させることができる。
【００４０】
また、図８に示すように、樹脂板２を直角に屈曲させたことによって形成されるコーナー部２ｂの肉厚Ｔを、コーナー部２ｂ以外の他の部分の肉厚Ｓと均一に設定するようにしてもよい。
【００４１】
これによれば、この導光板１の肉厚をコーナー部２ｂも含めて均一に設定し、特に薄肉部を形成していないので、ＬＥＤ光Ｌ１がこのコーナー部２ｂの薄肉部から大量に外に放出されるのを抑えることができる。
【００４２】
こうした均一な肉厚は、樹脂板２を型成形することによって形成することができる。
なお、平板状に形成した樹脂板２を、部分的に加熱して折り曲げることによって、コーナー部２ｂの肉厚Ｔに薄肉部分と厚肉部分を持たせ、他の部分の肉厚Ｓと不均一に形成することもできる。
【００４３】
なお、第一および第二実施形態に係る導光板１は、共に、商品Ｇを展示するための棚として使用されるものであるが、こうした使用に限定されるものではなく、例えば、宣伝用の広告板や、暗所における案内板として使用することができる。
【００４４】
また、第一および第二実施形態の導光板１は、樹脂板２を、透明のアクリル樹脂で形成しているが、これに限定されるものではなく、半透明のアクリル樹脂や、透明または半透明の他の樹脂材で形成することができる。
また、第一および第二実施形態のミラーフィルム６には、外側からは見えにくいが内側からは見えるようにしたマジックミラー（ハーフミラー）フィルムも含まれる。
【図面の簡単な説明】
【００４５】
【図１】本発明の第一実施形態に係る導光板を示す側面図である。
【図２】図１に示す導光板を通過するＬＥＤ光と、それに反射する外光を示す側面図である。
【図３】図１に示す導光板の他の態様を示す側面図である。
【図４】本発明の第二実施形態に係る導光板を示す分解斜視図である。
【図５】図４に示す導光板を商品の棚として使用している状態を示す側面図である。
【図６】図４に示す導光板において、その樹脂板の他の態様を示す斜視図である。
【図７】図４に示す導光板の他の態様を示す側面図である。
【図８】図４に示す導光板の他の態様を示す側面図である。
【符号の説明】
【００４６】
１        導光板
２        樹脂板
２ａ      端面
２ｂ      コーナー部
３        表示部
４        ＬＥＤ
５        基板
６        ミラーフィルム
７        反射シート
８        遮光シート
９        カッティングシート
Ｂ        裏面
Ｆ        おもて面
Ｇ        商品
Ｓ        コーナー部以外の肉厚
Ｔ        コーナー部の肉厚
Ｗ        壁面
Ｌ１      ＬＥＤ光
Ｌ２      外光
【図１】
2009098442.tif 000003
【図２】
2009098442.tif 000004
【図３】
2009098442.tif 000005
【図４】
2009098442.tif 000006
【図５】
2009098442.tif 000007
【図６】
2009098442.tif 000008
【図７】
2009098442.tif 000009
【図８】
2009098442.tif 000010